【手続補正書】
【提出日】平成23年8月23日(2011.8.23)
【手続補正１】
【補正対象書類名】特許請求の範囲
【補正対象項目名】全文
【補正方法】変更
【補正の内容】
【特許請求の範囲】
【請求項１】
（Ａ）熱可塑性ポリエステル樹脂１００重量部に対し、（Ｃ）末端がトリブロモフェノールで封鎖されたブロム化エポキシ樹脂である臭素系難燃剤１〜１００重量部および（Ｄ）３つ以上の官能基を有するアルキレンオキシド単位を一つ以上含む多価アルコール化合物０．０１〜１０重量部を配合してなる難燃性熱可塑性ポリエステル樹脂組成物。
【請求項２】
（Ｃ）臭素系難燃剤がテトラブロムビスフェノール−Ａ−エポキシオリゴマーである請求項１に記載の難燃性熱可塑性ポリエステル樹脂組成物。
【請求項３】
（Ａ）熱可塑性ポリエステル樹脂が、ポリブチレンテレフタレート、ポリエチレンテレフタレート、ポリプロピレンテレフタレート、ポリエチレンナフタレートおよびポリシクロヘキサンジメチレンテレフタレートから選ばれる一種以上の芳香族ポリエステル樹脂である請求項１〜２のいずれかに記載の難燃性熱可塑性ポリエステル樹脂組成物。
【請求項４】
（Ａ）熱可塑性ポリエステル樹脂１００重量部に対し、（Ｂ）ビニル系樹脂、芳香族ポリカーボネート樹脂およびポリフェニレンエーテル樹脂から選ばれる一種以上の熱可塑性樹脂１〜１００重量部を配合してなる請求項１〜３のいずれかに記載の難燃性熱可塑性ポリエステル樹脂組成物。
【請求項５】
（Ａ）熱可塑性ポリエステル樹脂１００重量部に対し、（Ｅ）オレフィン系エラストマー１〜５０重量部を配合してなる請求項１〜４のいずれか１項に記載の難燃性熱可塑性ポリエステル樹脂組成物。
【請求項６】
（Ｄ）３つ以上の官能基を有するアルキレンオキシド単位を一つ以上含む多価アルコール化合物が、３官能または４官能の多価アルコールを有する請求項１〜５のいずれか１項に記載の難燃性熱可塑性ポリエステル樹脂組成物。
【請求項７】
（Ａ）熱可塑性ポリエステル樹脂１００重量部に対し、（Ｇ）エポキシ化合物を０．１〜１０重量部配合してなる請求項１〜６のいずれか１項に記載の難燃性熱可塑性ポリエステル樹脂組成物。
【請求項８】
請求項１〜７のいずれか１項に記載の難燃性熱可塑性ポリエステル樹脂組成物からなる機械機構部品、電気電子部品および自動車部品から選ばれた成形品。
【手続補正２】
【補正対象書類名】明細書
【補正対象項目名】０００８
【補正方法】変更
【補正の内容】
【０００８】
すなわち本発明は、
（１）（Ａ）熱可塑性ポリエステル樹脂１００重量部に対し、（Ｃ）末端がトリブロモフェノールで封鎖されたブロム化エポキシ樹脂である臭素系難燃剤１〜１００重量部および（Ｄ）３つ以上の官能基を有するアルキレンオキシド単位を一つ以上含む多価アルコール化合物０．０１〜１０重量部を配合してなる難燃性熱可塑性ポリエステル樹脂組成物、
（２）（Ｃ）臭素系難燃剤がテトラブロムビスフェノール−Ａ−エポキシオリゴマーである前記（１）に記載の難燃性熱可塑性ポリエステル樹脂組成物、
（３）（Ａ）熱可塑性ポリエステル樹脂が、ポリブチレンテレフタレート、ポリエチレンテレフタレート、ポリプロピレンテレフタレート、ポリエチレンナフタレートおよびポリシクロヘキサンジメチレンテレフタレートから選ばれる一種以上の芳香族ポリエステル樹脂である前記（１）〜（２）のいずれかに記載の難燃性熱可塑性ポリエステル樹脂組成物、
（４）（Ａ）熱可塑性ポリエステル樹脂１００重量部に対し、（Ｂ）ビニル系樹脂、芳香族ポリカーボネート樹脂およびポリフェニレンエーテル樹脂から選ばれる一種以上の熱可塑性樹脂１〜１００重量部を配合してなる前記（１）〜（３）のいずれかに記載の難燃性熱可塑性ポリエステル樹脂組成物、
（５）（Ａ）熱可塑性ポリエステル樹脂１００重量部に対し、（Ｅ）オレフィン系エラストマー１〜５０重量部を配合してなる前記（１）〜（４）のいずれかに記載の難燃性熱可塑性ポリエステル樹脂組成物、
（６）（Ｄ）３つ以上の官能基を有するアルキレンオキシド単位を一つ以上含む多価アルコール化合物が、３官能または４官能の多価アルコールを有する前記（１）〜（５）のいずれか１項に記載の難燃性熱可塑性ポリエステル樹脂組成物、
（７）（Ａ）熱可塑性ポリエステル樹脂１００重量部に対し、（Ｇ）エポキシ化合物を０．１〜１０重量部配合してなる前記（１）〜（６）のいずれかに記載の難燃性熱可塑性ポリエステル樹脂組成物、
（８）前記（１）〜（７）のいずれか１項に記載の難燃性熱可塑性ポリエステル樹脂組成物からなる機械機構部品、電気電子部品および自動車部品から選ばれた成形品である。
【手続補正３】
【補正対象書類名】明細書
【補正対象項目名】００３１
【補正方法】変更
【補正の内容】
【００３１】
（Ｂ）熱可塑性ポリエステル樹脂以外の樹脂の配合量は、機械特性や成形性の観点から、（Ａ）熱可塑性ポリエステル樹脂１００重量部に対し、１〜１００重量部が好ましく、より好ましくは、２〜８０重量部、さらにより好ましくは、３〜６０重量部である。
前記の芳香族ポリカーボネート樹脂としては、芳香族二価フェノール系化合物とホスゲン、または炭酸ジエステルとを反応させることにより得られる芳香族ホモまたはコポリカーボネートが挙げられる。該芳香族ホモまたはコポリカーボネート樹脂は、重量平均分子量が、１００００〜１１０００００の範囲のものであり、ガラス転移温度が約１５０℃、重量平均分子量が１００００〜１００００００の範囲であれば、重量平均分子量の異なるポリカーボネート樹脂を併用しても良い。重量平均分子量６００００〜１１０００００の範囲の芳香族ポリカーボネート樹脂がとくに好ましく用いられる。重量平均分子量とは、溶媒にテトラヒドロフランを用い、ゲル透過クロマトグラフィーにより、ポリスチレン換算で測定して得られるものであり、重量平均分子量が１００００以下では、本発明の優れた機械特性が損なわれるため好ましくなく、重量平均分子量が１１０００００以上では、成形時の流動性が損なわれるため好ましくない。
【手続補正４】
【補正対象書類名】明細書
【補正対象項目名】０１１５
【補正方法】変更
【補正の内容】
【０１１５】
［実施例１４、５２、５４〜５７］、［比較例１〜１１、５１、５３］、［参考例１〜１３、１５〜５０］
スクリュー径３０ｍｍ、Ｌ／Ｄ３５の同方向回転ベント付き２軸押出機（日本製鋼所製、ＴＥＸ−３０α）を用いて、（Ａ）熱可塑性ポリエステル樹脂、（Ｂ）（Ａ）成分以外の熱可塑性樹脂として、芳香族ポリカーボネート樹脂、ポリフェニレンエーテル樹脂、スチレン／アクリロニトリル／グリシジルメタクリレート及びアクリロニトリル／ブタジエン／スチレンから選ばれる一種以上の樹脂、（Ｃ）臭素系難燃剤、（Ｄ）３つ以上の官能基を有するアルキレンオキシド単位を一つ以上含む多価アルコール化合物、さらには、必要に応じて（Ｅ）オレフィン系エラストマー、（Ｆ）繊維強化材、（Ｇ）エポキシ化合物および（Ｈ）フッ素系化合物、さらに必要に応じて（Ｉ）繊維強化材以外の無機充填剤、（Ｊ）三酸化アンチモンなどを表１〜表４に示した配合組成で混合し、元込め部から添加した。なお、（Ｆ）繊維強化材＜Ｆ−１＞ＧＦは、元込め部とベント部の途中にサイドフィーダーを設置して添加した。
【手続補正５】
【補正対象書類名】明細書
【補正対象項目名】０１１７
【補正方法】変更
【補正の内容】
【０１１７】
【表１】
2009173857.tif 000001
【手続補正６】
【補正対象書類名】明細書
【補正対象項目名】０１１８
【補正方法】変更
【補正の内容】
【０１１８】
【表２】
2009173857.tif 000002
【手続補正７】
【補正対象書類名】明細書
【補正対象項目名】０１１９
【補正方法】変更
【補正の内容】
【０１１９】
【表３】
2009173857.tif 000003
【手続補正８】
【補正対象書類名】明細書
【補正対象項目名】０１２０
【補正方法】変更
【補正の内容】
【０１２０】
【表４】
2009173857.tif 000004
【手続補正９】
【補正対象書類名】明細書
【補正対象項目名】０１２１
【補正方法】変更
【補正の内容】
【０１２１】
【表５】
2009173857.tif 000005
【手続補正１０】
【補正対象書類名】明細書
【補正対象項目名】０１２２
【補正方法】変更
【補正の内容】
【０１２２】
【表６】
2009173857.tif 000006
【手続補正１１】
【補正対象書類名】明細書
【補正対象項目名】０１２３
【補正方法】変更
【補正の内容】
【０１２３】
表１の実施例１４、参考例１〜参考例１３および参考例１５から、本発明の難燃性熱可塑性ポリエステル樹脂組成物は、射出成形時の流動性、機械特性および難燃性に優れる樹脂組成物と言える。
【手続補正１２】
【補正対象書類名】明細書
【補正対象項目名】０１２４
【補正方法】変更
【補正の内容】
【０１２４】
表２の参考例１６〜参考例２６から、本発明の難燃性熱可塑性ポリエステル樹脂組成物は、射出成形時の流動性、機械特性および難燃性に優れる樹脂組成物と言える。
【手続補正１３】
【補正対象書類名】明細書
【補正対象項目名】０１２５
【補正方法】変更
【補正の内容】
【０１２５】
また、表３の参考例２７〜参考例４０から、（Ｅ）オレフィン系エラストマーを配合した難燃性熱可塑性ポリエステル樹脂組成物、及び（Ｆ）繊維強化材としてＧＦを配合した難燃性熱可塑性ポリエステル樹脂組成物においても、射出成形時の流動性、機械特性および難燃性に優れる樹脂組成物と言える。
【手続補正１４】
【補正対象書類名】明細書
【補正対象項目名】０１２６
【補正方法】変更
【補正の内容】
【０１２６】
表４の参考例４１〜参考例４５及び参考例４９から、本発明の難燃性熱可塑性ポリエステル樹脂組成物は、射出成形時の流動性、機械特性および難燃性に優れる樹脂組成物と言える。
【手続補正１５】
【補正対象書類名】明細書
【補正対象項目名】０１２７
【補正方法】変更
【補正の内容】
【０１２７】
表４の参考例４６、参考例４７及び参考例５０から、（Ｇ）エポキシ化合物を配合した樹脂組成物は、流動性、機械特性および難燃性に優れた性能を維持しながら、さらに加水分解性が改善され、優れていると言える。
【手続補正１６】
【補正対象書類名】明細書
【補正対象項目名】０１３０
【補正方法】変更
【補正の内容】
【０１３０】
表６の実施例５２、実施例５３〜実施例５７から、本発明の難燃性熱可塑性ポリエステル樹脂組成物は、難燃剤として使用されるテトラブロムビスフェノール−Ａ−エポキシオリゴマーが、末端が封鎖されることにより、流動性がさらに優れる良好になると言える。また、４官能の多価アルコールを有するものを使用することにより、流動性が良好かつ湿熱処理時に成形品表面に、（Ｄ）成分が出てくることがないあるいは少ないことがわかる。